(57)【要約】  本発明は、空気品質取得方法、空気品質取得装置、プログラム、及び記録媒体を開示し、検知の技術分野に属するものである。前記空気品質取得方法は、ファンと空気品質検出装置を含む家電機器に用いられ、前記ファンが回転するように制御するステップと、前記空気品質検出装置により空気品質を検出するステップと、前記空気品質検出装置の検出結果に基づいて空気品質情報を生成するステップと、を含む。本発明は、従来技術において測定した空気品質が正確ではないという問題を解決し、所在環境の空気の流動時に空気品質を検出でき、さらに粉塵粒子の含有量を正確に測定することができ、測定した空気品質の正確度を向上させるという効果を達した。【選択図】図２
2017504783.tif 000002
【特許請求の範囲】
【請求項１】
ファンと空気品質検出装置を含む家電機器に用いられる空気品質取得方法であって、
前記ファンが回転するように制御するステップと、
前記空気品質検出装置により空気品質を検出するステップと、
前記空気品質検出装置の検出結果に基づいて空気品質情報を生成するステップと、
を含むことを特徴とする空気品質取得方法。
【請求項２】
前記空気品質検出装置により空気品質を検出するステップは、
前記ファンの回転時間が所定の時間経過したか否かを検出するステップと、
前記回転時間が前記所定の時間経過した場合、前記空気品質検出装置により空気品質を検出するステップと、
を含むことを特徴とする請求項１に記載の空気品質取得方法。
【請求項３】
前記ファンが回転するように制御するステップは、
現在の環境の空気流動速度が所定の速度に達したか否かを検出するステップと、
前記空気流動速度が前記所定の速度に達していない場合、前記ファンが回転するように制御するステップと、
を含むことを特徴とする請求項１に記載の空気品質取得方法。
【請求項４】
空気品質の検出をトリガーするためのトリガー信号を移動端末から受信するステップと、
前記トリガー信号を受信すると、前記ファンが回転するように制御する操作を実行するステップと、
をさらに含むことを特徴とする請求項１〜３のいずれか１項に記載の空気品質取得方法。
【請求項５】
前記空気品質情報を直接前記移動端末に送信するステップ、及び／又は、
前記空気品質情報をサーバに送信するステップ、及び／又は、
前記空気品質情報をホームゲートウェイ装置に送信するステップをさらに含み、
前記移動端末は、前記空気品質情報を表示するためのものであり、前記サーバは、前記空気品質情報を前記移動端末に転送するためのものであり、前記ホームゲートウェイ装置は、前記空気品質情報を前記移動端末に転送するためのものであることを特徴とする請求項４に記載の空気品質取得方法。
【請求項６】
所定の時間間隔おきに設定された時点、又はユーザによって設定された検出時点である所定の時点に達したか否かを検出するステップと、
前記所定の時点に達すると、前記ファンが回転するように制御する操作を実行するステップと、
をさらに含むことを特徴とする請求項１〜３のいずれか１項に記載の空気品質取得方法。
【請求項７】
前記空気品質情報をサーバに送信するステップ、及び／又は、
前記空気品質情報をホームゲートウェイ装置に送信するステップをさらに含み、
前記サーバは、移動端末からのトリガー信号を受信すると、過去に受信した全ての空気品質情報又は最後に受信した最も新しい空気品質情報を前記移動端末に転送するためのものであり、
前記ホームゲートウェイ装置は、前記移動端末からの前記トリガー信号を受信すると、過去に受信した全ての空気品質情報又は最後に受信した最も新しい空気品質情報を移動端末に転送するためのものであり、
前記移動端末は、受信した空気品質情報を表示するためのものであることを特徴とする請求項６に記載の空気品質取得方法。
【請求項８】
ファンと空気品質検出装置を含む家電機器に用いられる空気品質取得装置であって、
前記ファンが回転するように制御するように構成される回転制御モジュールと、
前記空気品質検出装置により空気品質を検出するように構成される空気品質検出モジュールと、
前記空気品質検出装置の検出結果に基づいて空気品質情報を生成するように構成される情報取得モジュールと、
を含むことを特徴とする空気品質取得装置。
【請求項９】
前記空気品質検出モジュールは、
前記ファンの回転時間が所定の時間経過したか否かを検出するように構成される時間長検出サブモジュールと、
前記時間長検出サブモジュールにより検出された結果、前記回転時間が前記所定の時間経過した場合、前記空気品質検出装置により空気品質を検出するように構成される空気品質検出サブモジュールと、
を含むことを特徴とする請求項８に記載の空気品質取得装置。
【請求項１０】
前記回転制御モジュールは、
現在の環境の空気流動速度が所定の速度に達したか否かを検出するように構成される速度検出サブモジュールと、
前記速度検出サブモジュールにより検出された結果、前記空気流動速度が前記所定の速度に達していない場合、前記ファンが回転するように制御するように構成される回転制御サブモジュールと、
を含むことを特徴とする請求項８に記載の空気品質取得装置。
【請求項１１】
空気品質の検出をトリガーするためのトリガー信号を移動端末から受信するように構成される信号受信モジュールをさらに含み、
前記回転制御モジュールは、前記信号受信モジュールにより前記トリガー信号を受信すると、前記ファンが回転するように制御する操作を実行することを特徴とする請求項８〜１０のいずれか１項に記載の空気品質取得装置。
【請求項１２】
前記空気品質情報を直接前記移動端末に送信するように構成される第１の送信モジュール、及び／又は、
前記空気品質情報をサーバに送信するように構成される第２の送信モジュール、及び／又は、
前記空気品質情報をホームゲートウェイ装置に送信するように構成される第３の送信モジュールをさらに含み、
前記移動端末は、前記空気品質情報を表示するためのものであり、前記サーバは、前記空気品質情報を前記移動端末に転送するためのものであり、前記ホームゲートウェイ装置は、前記空気品質情報を前記移動端末に転送するためのものであることを特徴とする請求項１１に記載の空気品質取得装置。
【請求項１３】
所定の時間間隔おきに設定された時点、又はユーザによって設定された検出時点である所定の時点に達したか否かを検出するように構成される時点検出モジュールをさらに含み、
前記回転制御モジュールは、前記時点検出モジュールにより検出された結果、前記所定の時点に達した場合、前記ファンが回転するように制御する操作を実行することを特徴とする請求項８〜１１のいずれか１項に記載の空気品質取得装置。
【請求項１４】
前記空気品質情報をサーバに送信するように構成される第４の送信モジュール、及び／又は、
前記空気品質情報をホームゲートウェイ装置に送信するように構成される第５の送信モジュールをさらに含み、
前記サーバは、移動端末からのトリガー信号を受信すると、過去に受信した全ての空気品質情報又は最後に受信した最も新しい空気品質情報を前記移動端末に転送するためのものであり、
前記ホームゲートウェイ装置は、前記移動端末からの前記トリガー信号を受信すると、過去に受信した全ての空気品質情報又は最後に受信した最も新しい空気品質情報を移動端末に転送するためのものであり、
前記移動端末は、受信した空気品質情報を表示するためのものであることを特徴とする請求項１３に記載の空気品質取得装置。
【請求項１５】
ファンと空気品質検出装置を含む家電機器に用いられる空気品質取得装置であって、
プロセッサと、
前記プロセッサにより実行可能な命令を記憶するためのメモリと、
を含み、
前記プロセッサは、
前記ファンが回転するように制御し、
前記空気品質検出装置により空気品質を検出し、
前記空気品質検出装置の検出結果に基づいて空気品質情報を生成するように構成されることを特徴とする空気品質取得装置。
【発明の詳細な説明】
【技術分野】
【０００１】
本発明は、検知の技術分野に関し、特に、空気品質取得方法、及び空気品質取得装置に関する。
【背景技術】
【０００２】
工業化の発展につれて、大気汚染も、ますます深刻になりつつある。空気の品質を改善するために、空気清浄機が各家庭に普及されている。
【０００３】
普通の空気清浄機には、通常、所在環境の空気品質を検出することができる空気品質検出装置が設けられている。
【０００４】
本発明者は、本発明を実現する過程において、従来技術に少なくとも下記不備が存在することが分かった。空気の非流通時に、粉塵粒子が空気の中に浮遊してほぼ静止状態にあり、この場合、空気品質検出装置は、粉塵粒子の含有量を正確に測定することができない。そのため、測定した空気品質は、通常実際の空気品質より優れ、即ち、測定した空気品質の正確度が低い。
【発明の概要】
【０００５】
本発明の実施例は、従来技術において測定した空気品質の正確度が低いという問題を解決するために、空気品質取得方法、及び空気品質取得装置を提供する。
【０００６】
本発明の実施例の第１の態様によると、ファンと空気品質検出装置を含む家電機器に用いられる空気品質取得方法を提供し、当該空気品質取得方法は、
前記ファンが回転するように制御するステップと、
前記空気品質検出装置により空気品質を検出するステップと、
前記空気品質検出装置の検出結果に基づいて空気品質情報を生成するステップと、を含む。
【０００７】
好ましくは、前記空気品質検出装置により空気品質を検出するステップは、
前記ファンの回転時間が所定の時間経過したか否かを検出するステップと、
前記回転時間が前記所定の時間経過した場合、前記空気品質検出装置により空気品質を検出するステップと、を含む。
【０００８】
好ましくは、前記ファンが回転するように制御するステップは、
現在の環境の空気流動速度が所定の速度に達したか否かを検出するステップと、
前記空気流動速度が前記所定の速度に達していない場合、前記ファンが回転するように制御するステップと、を含む。
【０００９】
好ましくは、前記空気品質取得方法は、
空気品質の検出をトリガーするためのトリガー信号を移動端末から受信するステップと、
前記トリガー信号を受信すると、前記ファンが回転するように制御する操作を実行するステップと、をさらに含む。
【００１０】
好ましくは、前記空気品質取得方法は、
前記空気品質情報を直接前記移動端末に送信するステップ、及び／又は、
前記空気品質情報をサーバに送信するステップ、及び／又は、
前記空気品質情報をホームゲートウェイ装置に送信するステップをさらに含み、
前記移動端末は、前記空気品質情報を表示するためのものであり、前記サーバは、前記空気品質情報を前記移動端末に転送するためのものであり、前記ホームゲートウェイ装置は、前記空気品質情報を前記移動端末に転送するためのものである。
【００１１】
好ましくは、前記空気品質取得方法は、
所定の時間間隔おきに設定された時点、又はユーザによって設定された検出時点である所定の時点に達したか否かを検出するステップと、
前記所定の時点に達すると、前記ファンが回転するように制御する操作を実行するステップと、をさらに含む。
【００１２】
好ましくは、前記空気品質取得方法は、
前記空気品質情報をサーバに送信するステップ、及び／又は、
前記空気品質情報をホームゲートウェイ装置に送信するステップをさらに含み、
前記サーバは、移動端末からのトリガー信号を受信すると、過去に受信した全ての空気品質情報又は最後に受信した最も新しい空気品質情報を前記移動端末に転送するためのものであり、
前記ホームゲートウェイ装置は、前記移動端末からの前記トリガー信号を受信すると、過去に受信した全ての空気品質情報又は最後に受信した最も新しい空気品質情報を移動端末に転送するためのものであり、
前記移動端末は、受信した空気品質情報を表示するためのものである。
【００１３】
本発明の実施例の第２の態様によると、ファンと空気品質検出装置を含む家電機器に用いられる空気品質取得装置を提供し、当該空気品質取得装置は、
前記ファンが回転するように制御するように構成される回転制御モジュールと、
前記空気品質検出装置により空気品質を検出するように構成される空気品質検出モジュールと、
前記空気品質検出装置の検出結果に基づいて空気品質情報を生成するように構成される情報取得モジュールと、を含む。
【００１４】
好ましくは、前記空気品質検出モジュールは、
前記ファンの回転時間が所定の時間経過したか否かを検出するように構成される時間長検出サブモジュールと、
前記時間長検出サブモジュールにより検出された結果、前記回転時間が前記所定の時間経過した場合、前記空気品質検出装置により空気品質を検出するように構成される空気品質検出サブモジュールと、を含む。
【００１５】
好ましくは、前記回転制御モジュールは、
現在の環境の空気流動速度が所定の速度に達したか否かを検出するように構成される速度検出サブモジュールと、
前記速度検出サブモジュールにより検出された結果、前記空気流動速度が前記所定の速度に達していない場合、前記ファンが回転するように制御するように構成される回転制御サブモジュールと、を含む。
【００１６】
好ましくは、前記空気品質取得装置は、空気品質の検出をトリガーするためのトリガー信号を移動端末から受信するように構成される信号受信モジュールをさらに含み、
前記回転制御モジュールは、前記信号受信モジュールにより前記トリガー信号を受信すると、前記ファンが回転するように制御する操作を実行する。
【００１７】
好ましくは、前記空気品質取得装置は、
前記空気品質情報を直接前記移動端末に送信するように構成される第１の送信モジュール、及び／又は、
前記空気品質情報をサーバに送信するように構成される第２の送信モジュール、及び／又は、
前記空気品質情報をホームゲートウェイ装置に送信するように構成される第３の送信モジュールをさらに含み、
前記移動端末は、前記空気品質情報を表示するためのものであり、前記サーバは、前記空気品質情報を前記移動端末に転送するためのものであり、前記ホームゲートウェイ装置は、前記空気品質情報を前記移動端末に転送するためのものである。
【００１８】
好ましくは、前記空気品質取得装置は、所定の時間間隔おきに設定された時点、又はユーザによって設定された検出時点である所定の時点に達したか否かを検出するように構成される時点検出モジュールをさらに含み、
前記回転制御モジュールは、前記時点検出モジュールにより検出された結果、前記所定の時点に達した場合、前記ファンが回転するように制御する操作を実行する。
【００１９】
好ましくは、前記空気品質取得装置は、
前記空気品質情報をサーバに送信するように構成される第４の送信モジュール、及び／又は、
前記空気品質情報をホームゲートウェイ装置に送信するように構成される第５の送信モジュールをさらに含み、
前記サーバは、移動端末からのトリガー信号を受信すると、過去に受信した全ての空気品質情報又は最後に受信した最も新しい空気品質情報を前記移動端末に転送するためのものであり、
前記ホームゲートウェイ装置は、前記移動端末からの前記トリガー信号を受信すると、過去に受信した全ての空気品質情報又は最後に受信した最も新しい空気品質情報を移動端末に転送するためのものであり、
前記移動端末は、受信した空気品質情報を表示するためのものである。
【００２０】
本発明の実施例の第３の態様によると、ファンと空気品質検出装置を含む家電機器に用いられる空気品質取得装置を提供し、当該空気品質取得装置は、
プロセッサと、
前記プロセッサにより実行可能な命令を記憶するためのメモリと、を含み、
前記プロセッサは、
前記ファンが回転するように制御し、
前記空気品質検出装置により空気品質を検出し、
前記空気品質検出装置の検出結果に基づいて空気品質情報を生成するように構成される。
【００２１】
本発明の実施例による技術案は、以下の有益な効果を有することができる。
【００２２】
家電機器のファンが回転するように制御して、家電機器の所在環境の空気を流動させた後に、家電機器の空気品質検出装置により空気品質を検出して空気品質情報を得ることにより、従来技術において測定した空気品質が正確ではないという問題を解決し、所在環境の空気の流動時に空気品質を検出でき、さらに粉塵粒子の含有量を正確に測定することができ、測定した空気品質の正確度を向上させるという効果を達した。
【００２３】
以上の一般的な記述と、以下の詳細の記述は、ただ例示的なものであって、本発明を限定するものではないことを理解すべきである。
【図面の簡単な説明】
【００２４】
ここの図面は、明細書に組み入れて本明細書の一部分を構成し、本発明に該当する実施例を例示するとともに、明細書とともに本発明の原理を解釈するために用いられる。
【００２５】
【図１】図１は、一部の例示的な実施例にかかる空気品質取得方法に関する実施環境の模式図である。
【図２】図２は、一つの例示的な実施例にかかる空気品質取得方法のフローチャートである。
【図３Ａ】図３Ａは、別の例示的な実施例にかかる空気品質取得方法のフローチャートである。
【図３Ｂ】図３Ｂは、別の例示的な実施例にかかる、移動端末がトリガー信号を受信する時の表示模式図である。
【図３Ｃ】図３Ｃは、別の例示的な実施例にかかる、移動端末が空気品質情報を表示する時の模式図である。
【図３Ｄ】図３Ｄは、別の例示的な実施例にかかる、空気清浄機が空気品質を検出する時の移動端末の表示模式図である。
【図４】図４は、さらに別の例示的な実施例にかかる空気品質取得方法のフローチャートである。
【図５】図５は、一つの例示的な実施例にかかる空気品質取得装置のブロック図である。
【図６】図６は、別の例示的な実施例にかかる空気品質取得装置のブロック図である。
【図７】図７は、一つの例示的な実施例にかかる空気品質取得用装置のブロック図である。
【発明を実施するための形態】
【００２６】
ここで、図面に示される例示的な実施例について詳細に説明する。以下、図面に関連して説明する際に、特別な説明がない限り、異なる図面での同一符号は、同一または類似な要素を示す。以下の例示的な実施例で記載する実施形態は、本発明に一致する全ての実施形態を代表するわけではない。寧ろ、それらは、添付される特許請求の範囲で詳細に記載される本発明の一部の態様に一致する装置、及び方法の例に過ぎない。
【００２７】
図１は、本発明の各例示的な実施例に関する実施環境の構成模式図である。図１に示すように、当該実施環境には、家電機器１１０、ホームゲートウェイ装置１２０、移動端末１３０、及びサーバ１４０が含まれる。
【００２８】
家電機器１１０には、家電機器の所在環境の空気を流動させるためのファンと、所在環境の空気品質を検出するための空気品質検出装置を含む。当該ファンは、元々家電機器１１０に設けられているものであってもよく、わざわざ空気品質検出装置の付近位置に設けたものであってもよい。当該家電機器１１０は、有線や無線ネットワークを介してホームゲートウェイ装置１２０に接続することができ、ホームゲートウェイ装置１２０を介して、移動端末１３０、及びサーバ１４０に接続される。実際に、当該家電機器１１０は、空気清浄機又は空気品質検出器である。
【００２９】
移動端末１３０には、クライアントがインストールされている。当該クライアントは、サービス提供側から提供されるものである。ユーザは、当該クライアントを通じて家電機器１１０を制御することができる。実際に、移動端末１３０と家電機器１１０が同一のＬＡＮにある場合、移動端末１３０は、ホームゲートウェイ装置１２０を通じて家電機器１１０を検索することができ、移動端末１３０と家電機器１１０との間にバインディング関係を確立することができる。家電機器１１０は、１つ又は複数の移動端末１３０とのバインディングが可能である。
【００３０】
サーバ１４０は、サービス提供側から提供されるバックグランドサーバであり、移動端末１３０のクライアントと協力して、サービス提供側からのサービスをユーザに提供する。
【００３１】
図２は、一つの例示的な実施例にかかる空気品質取得方法のフローチャートである。図２に示すように、当該空気品質取得方法は、図１に示す家電機器１１０に適用される。当該空気品質取得方法は、以下のステップを含む。
【００３２】
ステップ２０１において、ファンが回転するように制御する。
【００３３】
ステップ２０２において、空気品質検出装置により空気品質を検出する。
【００３４】
ステップ２０３において、空気品質検出装置の検出結果に基づいて空気品質情報を生成する。
【００３５】
以上をまとめると、本発明の実施例にかかる空気品質取得方法によると、家電機器のファンが回転するように制御して、家電機器の所在環境の空気を流動させた後に、家電機器の空気品質検出装置により空気品質を検出して空気品質情報を得ることにより、従来技術において測定した空気品質が正確ではないという問題を解決し、所在環境の空気の流動時に空気品質を検出でき、さらに粉塵粒子の含有量を正確に測定することができ、測定した空気品質の正確度を向上させるという効果を達した。
【００３６】
実際に、家電機器は、以下の２つの場合に空気品質を検出することができる。
【００３７】
ケース１：空気品質の検出をトリガーするためのトリガー信号を移動端末から受信したときに検出する。
【００３８】
ケース２：所定の時間間隔おきに設定された時点、又はユーザによって設定された検出時点である所定の時点に検出する。
【００３９】
そのため、以下、上記２つの場合について、２つの例示的な実施例において詳細に説明する。
【００４０】
図３Ａは、一つの例示的な実施例にかかる空気品質取得方法のフローチャートである。本実施例は、当該空気品質取得方法が図１に示す家電機器１１０に適用され、且つ家電機器が上記ケース１に空気品質を検出することを例として説明する。図３Ａに示すように、当該空気品質取得方法は、以下のステップを含む。
【００４１】
ステップ３０１において、空気品質の検出をトリガーするためのトリガー信号を移動端末から受信する。
【００４２】
本実施例は、家電機器が空気清浄機であることを例とする。ユーザは、空気品質を確認したい場合、空気品質の検出をトリガーするためのトリガー信号を空気清浄機に送信するように移動端末を操作することができる。当該空気清浄機は、当該トリガー信号を受信することができる。
【００４３】
例えば、明さんは、自宅の空気品質を確認したい場合、携帯電話にインストールされている、空気清浄機にサービスを提供するクライアントを開く。図３Ｂに示すように、明さんは、クライアントで「室内の空気品質を検出」をクリックすることができる。携帯電話は、クリック信号を受信すると、空気品質の検出をトリガーするためのトリガー信号を空気清浄機に送信する。対応的に、空気清浄機は、携帯電話からのトリガー信号を受信することができる。
【００４４】
ステップ３０２において、トリガー信号を受信すると、ファンが回転するように制御する操作を実行する。
【００４５】
空気清浄機は、トリガー信号を受信すると、当該空気清浄機におけるファンが回転するように制御することができる。当該ファンは、所在環境の空気を流動させるためのものである。当該ファンは、空気清浄機に元々あるものであってもよく、空気品質検出装置の前に別途に設けたものであってもよいが、本実施例では、これについて限定しない。
【００４６】
空気清浄機は、トリガー信号を受信すると、ファンのモータを動作させ、モータの回転によりファンを回転させる。
【００４７】
ステップ３０３において、空気品質検出装置により空気品質を検出する。
【００４８】
ファンが回転して空気清浄機の所在環境の空気が流動し始めると、空気清浄機は、内部の空気品質検出装置により、所在環境の空気品質を検出することができる。
【００４９】
ステップ３０４において、空気品質検出装置の検出結果に基づいて空気品質情報を生成する。
【００５０】
空気清浄機は、空気品質検出装置の検出結果に基づいて空気品質情報を生成することができる。ここで、空気品質情報は、空気品質レベル、ＡＱＩ（Ａｉｒ Ｑｕａｌｉｔｙ Ｉｎｄｅｘ、空気品質指数）、微細粒子含有量、呼吸域粒子含有量、二酸化硫黄含有量、二酸化窒素含有量、オゾン含有量、及び一酸化炭素含有量のうちの少なくとも一つを含む。
【００５１】
空気清浄機は、空気品質情報を取得すると、取得した空気品質情報をユーザにフィードバックすることができる。実際に、空気清浄機は、以下の方式のうちの少なくとも一つによりフィードバックすることができる。
【００５２】
第１の方式
空気品質情報を表示するための移動端末に直接空気品質情報を送信する。
【００５３】
空気清浄機は、空気品質情報を移動端末に送信する。当該移動端末は、空気品質情報を受信すると、当該空気品質情報を表示する。
【００５４】
第２の方式
空気品質情報を移動端末に転送するためのサーバに空気品質情報を送信する。移動端末は、空気品質情報を表示するために用いられる。
【００５５】
空気清浄機は、取得した空気品質情報をサーバに送信し、サーバは、当該空気品質情報を移動端末に転送する。移動端末は、サーバから送信された空気品質情報を受信して表示する。
【００５６】
サーバは、例えば、クライアントにサービスを提供するバックグランドサーバであり、移動端末には当該クライアントがインストールされている。従って、サーバは、クライアントのアカウント情報に基づいて、当該空気品質情報を当該移動端末に送信することができる。本実施例は、これについて限定しない。
【００５７】
第３の方式
空気品質情報を移動端末に転送するためのホームゲートウェイ装置に空気品質情報を送信する。移動端末は、空気品質情報を表示するために用いられる。
【００５８】
移動端末がホームゲートウェイ装置の情報にアクセスすることができるため、空気清浄機は、取得した空気品質情報をホームゲートウェイ装置に送信して、ホームゲートウェイ装置から当該空気品質情報を移動端末に転送するようにしてもよい。移動端末は、対応的に当該空気品質情報を受信して表示する。
【００５９】
例えば、空気品質情報が空気品質レベルと粒子総量を含み、且つ空気品質レベルが優、粒子総量が３０であることを例とする。携帯電話は、空気品質情報を受信すると、図３Ｃに示す表示画面を表示する。図３Ｃに示すように、携帯電話は、空気清浄機により測定された空気品質情報を表示するとともに、室外の空気品質情報を表示することもできる。室外の空気品質情報は、携帯電話がサーバから取得した情報であってもよいが、本実施例では、これについて限定しない。
【００６０】
なお、移動端末は、トリガー信号を空気清浄機に送信してから、空気品質情報を表示する前に、空気清浄機が空気品質の検出中にあることを示すための表示画面を表示することができる、という点に留意すべきである。例えば、同じく上記例を挙げ、明さんが図３Ｂの「室内の空気品質を検出」をクリックし、携帯電話がトリガー信号を空気清浄機に送信した後に、携帯電話は、図３Ｄに示す画面を表示することができ、空気品質情報を受信すると、図３Ｃに示す画面を表示する。
【００６１】
なお、本実施例は、ユーザが移動端末を通じてトリガー信号を空気清浄機に送信する場合を例としたが、実際に、空気清浄機に空気品質の検出をトリガーするためのスイッチを設けることができるため、ユーザは、直接空気清浄機におけるスイッチを通じて空気品質の検出をトリガーすることもできる、という点にさらに留意すべきである。即ち、空気清浄機は、ユーザによるスイッチをオンさせるトリガー信号を直接受信することができ、本実施例は、これについて限定しない。
【００６２】
なお、空気清浄機に、空気品質を示すための表示ランプを設けることができるため、空気清浄機は、空気品質情報を測定して得ると、測定結果を表示灯によりユーザにフィードバックすることができる、という点にさらに留意すべきである。例えば、緑のランプは、空気品質が優、黄色のランプは、空気品質が良、赤のランプは、空気品質が汚染であることを示すが、実施例では、これについて限定しない。また、実際に、空気清浄機に表示パネルが設けられている場合、空気清浄機は、表示パネルを通じて空気品質情報をユーザに対して表示することもでき、本実施例では、これについても限定しない。
【００６３】
以上をまとめると、本発明の実施例にかかる空気品質取得方法によると、家電機器のファンが回転するように制御して、家電機器の所在環境の空気を流動させた後に、家電機器の空気品質検出装置により空気品質を検出して空気品質情報を得ることにより、従来技術において測定した空気品質が正確ではないという問題を解決し、所在環境の空気の流動時に空気品質を検出でき、さらに粉塵粒子の含有量を正確に測定することができ、測定した空気品質の正確度を向上させるという効果を達した。
【００６４】
図４は、一つの例示的な実施例にかかる空気品質取得方法のフローチャートである。本実施例は、当該空気品質取得方法が図１に示す家電機器１１０に適用され、且つ家電機器が上記ケース２において空気品質を検出することを例として説明する。図４に示すように、当該空気品質取得方法は、以下のステップを含む。
【００６５】
ステップ４０１において、所定の時間間隔おきに設定された時点、又はユーザによって設定された検出時点である所定の時点に達したか否かを検出する。
【００６６】
本実施例は、同じく家電機器が空気清浄機であることを例とする。空気清浄機は、所定の時点に達したか否かをリアルタイムに検出することができる。
【００６７】
ここで、所定の時点は、所定の時間間隔おきに設定された時点である。所定の時間間隔は、空気清浄機におけるデフォルトの時間間隔であってもよく、ユーザによって予め設定された時間間隔であってもよい。例えば、ユーザが予め携帯電話を通じて「正時の時点に室内の空気品質を検出する」と設定し、当該設定情報を空気清浄機に送信した場合、所定の時点は、「１時、２時、３時」などの正時の時点である。
【００６８】
又は、所定の時点は、ユーザによって設定された検出時点である。例えば、ユーザが予め「午後５：３０に室内の空気品質を検出する」と設定すると、所定の時点は、ユーザによって設定された午後５：３０である。
【００６９】
ステップ４０２において、所定の時点に達すると、ファンが回転するように制御する操作を実行する。
【００７０】
空気清浄機の検出結果として、所定の時点に達すると、空気清浄機は、ファンが回転するように制御することができる。当該ファンは、所在環境の空気を流動させるためのものである。当該ファンは、空気清浄機に元々あるものであってもよく、空気品質検出装置の前に別途に設けたものであってもよいが、本実施例では、これについて限定しない。
【００７１】
空気清浄機は、ファンのモータを動作させ、モータの回転によりファンを回転させる。
【００７２】
ステップ４０３において、空気品質検出装置により空気品質を検出する。
【００７３】
ファンが回転して空気清浄機の所在環境の空気が流動し始めると、空気清浄機は、内部の空気品質検出装置により、所在環境の空気品質を検出することができる。
【００７４】
ステップ４０４において、空気品質検出装置の検出結果に基づいて空気品質情報を生成する。
【００７５】
空気清浄機は、空気品質検出装置の検出結果に基づいて空気品質情報を生成することができる。ここで、空気品質情報は、空気品質レベル、ＡＱＩ、微細粒子含有量、呼吸域粒子含有量、二酸化硫黄含有量、二酸化窒素含有量、オゾン含有量、及び一酸化炭素含有量のうちの少なくとも一つを含む。
【００７６】
空気清浄機は、空気品質情報を取得すると、取得した空気品質情報をユーザにフィードバックすることができる。実際に、空気清浄機は、以下の方式のうちの少なくとも一つによりフィードバックすることができる。
【００７７】
第1の方式
空気品質情報をサーバに送信する。サーバは、移動端末からのトリガー信号を受信すると、過去に受信した全ての空気品質情報又は最後に受信した最も新しい空気品質情報を移動端末に転送するためのものであり、移動端末は、受信した空気品質情報を表示するためのものである。
【００７８】
空気清浄機は、空気品質情報を取得すると、当該空気品質情報をサーバに送信する。サーバは、移動端末からのトリガー信号を受信すると、過去に受信した全ての空気品質情報又は最後に受信した最も新しい空気品質情報を移動端末に転送するためのものであり、移動端末は、受信した空気品質情報を表示するためのものである。
【００７９】
移動端末は、クライアントの所在する端末であり、サーバは、当該クライアントにサービスを提供するバックグランドサーバである。移動端末は、トリガー信号をサーバに送信し、サーバは、トリガー信号を受信すると、空気清浄機から受信した各空気品質情報を移動端末に転送する。又は、サーバは、トリガー信号を受信すると、最後に受信した最も新しい空気品質情報を移動端末に転送する。ここで、当該トリガー信号は、ユーザがクライアントにおける情報取得ボタンを長時間押すことにより、移動端末から送信されるトリガー信号であってもよいが、本実施例では、これについて限定しない。
【００８０】
移動端末からサーバへのトリガー信号の送信は、以下のありうる実現方式のうちの少なくとも一つを含む。
【００８１】
（１）移動端末のスクリーンが点灯すると、自動的にトリガー信号をサーバに送信する。
【００８２】
ユーザが端末のスクリーンを点灯させると、移動端末から自動的にトリガー信号をサーバに送信する。
【００８３】
（２）移動端末の画面のロック解除時に、自動的にトリガー信号をサーバに送信する。
【００８４】
（３）移動端末においてクライアントを運転させると、自動的にトリガー信号をサーバに送信する。
【００８５】
ユーザがクライアントを開くと、移動端末から自動的にトリガー信号をサーバに送信する。
【００８６】
（４）移動端末がネットワークに接続されると、自動的にトリガー信号をサーバに送信する。
【００８７】
移動端末は、空気品質情報を受信すると、当該空気品質情報を表示する。
【００８８】
第２の方式
空気品質情報をホームゲートウェイ装置に送信する。ホームゲートウェイ装置は、移動端末からのトリガー信号を受信すると、過去に受信した全ての空気品質情報又は最後に受信した最も新しい空気品質情報を移動端末に転送するためのものであり、移動端末は、受信した空気品質情報を表示するためのものである。
【００８９】
上記の実現方式と類似的に、空気清浄機は、測定した空気品質情報をホームゲートウェイ装置に送信することができる。ホームゲートウェイ装置は、移動端末からのトリガー信号を受信すると、過去に受信した全ての空気品質情報又は最後に受信した最も新しい空気品質情報を移動端末に転送するためのものであり、移動端末は、受信した空気品質情報を表示するためのものである。本実施例では、ここで繰り返して説明しない。
【００９０】
以上をまとめると、本発明の実施例にかかる空気品質取得方法によると、家電機器のファンが回転するように制御して、家電機器の所在環境の空気を流動させた後に、家電機器の空気品質検出装置により空気品質を検出して空気品質情報を得ることにより、従来技術において測定した空気品質が正確ではないという問題を解決し、所在環境の空気の流動時に空気品質を検出でき、さらに粉塵粒子の含有量を正確に測定することができ、測定した空気品質の正確度を向上させるという効果を達した。
【００９１】
本実施例において、家電機器は、所定の時点に達したときに、直接、ファンが回転するように制御し、更に空気品質情報を測定することで、空気品質取得時のユーザの操作を簡単化した。
【００９２】
なお、上記各実施例において、家電機器がファンを制御して回転するようにすることが以下のステップを含んでもよい、という点に留意すべきである。
【００９３】
第１に、現在の環境の空気流動速度が所定の速度に達したか否かを検出する。
【００９４】
家電機器は、現在の環境の空気流動速度を取得し、取得した空気流動速度が所定の速度に達したか否かを検出することができる。
【００９５】
第２に、空気流動速度が所定の速度に達していない場合、ファンが回転するように制御する。
【００９６】
家電機器により検出した結果、空気流動速度が所定の速度に達していない場合、空気流動がスムーズではないことにより、測定した空気品質が正確ではないという問題を避けるために、家電機器は、ファンが回転するように制御する。家電機器は、ファンの回転により空気を流動させてから空気品質を検出することにより、測定した空気品質の正確度を高める。
【００９７】
一方、空気流動速度が所定の速度に達した場合、家電機器は、直接空気品質検出装置により空気品質を検出する。本実施例では、これについて限定しない。
【００９８】
なお、上記各実施例において、家電機器が空気品質検出装置により空気品質を検出するステップは、以下のステップを含むことができる、という点に留意すべきである。
【００９９】
第１に、ファンの回転時間が所定の時間経過したか否かを検出する。
【０１００】
家電機器は、ファンが回転するように制御してから、ファンの回転時間を統計し、ファンの回転時間が所定の時間経過したか否かを検出する。
【０１０１】
例えば、所定の時間を３０Ｓに設定すると、家電機器は、ファンが回転するように制御してから、ファンの回転時間が３０Ｓ経過したか否かを検出する。
【０１０２】
第２に、回転時間が所定の時間経過すると、空気品質検出装置により空気品質を検出する。
【０１０３】
家電機器により検出した結果、所定の時間経過した場合、家電機器の所在環境の空気が完全に流動していることを表す。このとき、家電機器は、空気品質検出装置により空気品質を検出する。
【０１０４】
本実施例においては、ファンを一定時間回転させてから空気品質を検出することにより、空気流動がスムーズではないことにより、空気品質検出装置が空気品質を正確に検出できないという問題を避け、測定した空気品質の正確度をさらに高める。
【０１０５】
なお、家電機器が空気清浄機の場合、空気清浄機が空気を浄化できるため、空気清浄機が測定した空気品質情報が、空気品質が比較的悪いことを示す情報である場合、空気清浄機は、直接空気浄化を開始するか、知らせをする（アラーム、提示灯又は提示音）か、現在の空気品質が比較的悪く空気清浄機の稼動をユーザに薦めるための知らせ情報を移動端末に送信することができる、という点に留意すべきである。移動端末は、当該知らせ情報を表示し、ユーザからの確認信号を受信すると、空気清浄機が空気浄化を行うように制御する。本実施例では、これについて限定しない。
【０１０６】
以下は、本発明の方法の実施例を実行可能な本発明の装置の実施例である。本発明の装置の実施例に開示されない詳細は、本発明の方法の実施例を参照すればよい。
【０１０７】
図５は、一つの例示的な実施例にかかる空気品質取得装置のブロック図である。図５に示すように、当該空気品質取得装置は、図１に示す家電機器１１０に適用される。当該空気品質取得装置は、回転制御モジュール５１０、空気品質検出モジュール５２０、及び情報取得モジュール５３０を含むが、それらに限らない。
【０１０８】
回転制御モジュール５１０は、ファンが回転するように制御するように構成される。
【０１０９】
空気品質検出モジュール５２０は、空気品質検出装置により空気品質を検出するように構成される。
【０１１０】
情報取得モジュール５３０は、空気品質検出装置の検出結果に基づいて空気品質情報を生成するように構成される。
【０１１１】
以上をまとめると、本発明の実施例にかかる空気品質取得装置によると、家電機器のファンが回転するように制御して、家電機器の所在環境の空気を流動させた後に、家電機器の空気品質検出装置により空気品質を検出して空気品質情報を得ることにより、従来技術において測定した空気品質が正確ではないという問題を解決し、所在環境の空気の流動時に空気品質を検出でき、さらに粉塵粒子の含有量を正確に測定することができ、測定した空気品質の正確度を向上させるという効果を達した。
【０１１２】
図６は、別の例示的な実施例にかかる空気品質取得装置のブロック図である。図６に示すように、当該空気品質取得装置は、図１に示す家電機器１１０に適用される。当該空気品質取得装置は、回転制御モジュール６１０、空気品質検出モジュール６２０、及び情報取得モジュール６３０を含むが、それらに限らない。
【０１１３】
回転制御モジュール６１０は、ファンが回転するように制御するように構成される。
【０１１４】
空気品質検出モジュール６２０は、空気品質検出装置により空気品質を検出するように構成される。
【０１１５】
情報取得モジュール６３０は、空気品質検出装置の検出結果に基づいて空気品質情報を生成するように構成される。
【０１１６】
また、空気品質検出モジュール６２０は、ファンの回転時間が所定の時間経過したか否かを検出するように構成される時間長検出サブモジュール６２１と、時間長検出サブモジュール６２１により検出された結果、回転時間が所定の時間経過した場合、空気品質検出装置により空気品質を検出するように構成される空気品質検出サブモジュール６２２とを含む。
【０１１７】
また、回転制御モジュール６１０は、現在の環境の空気流動速度が所定の速度に達したか否かを検出するように構成される速度検出サブモジュール６１１と、速度検出サブモジュールにより検出された結果、空気流動速度が所定の速度に達していない場合、ファンが回転するように制御するように構成される回転制御サブモジュール６１２とを含む。
【０１１８】
また、当該装置は、空気品質の検出をトリガーするためのトリガー信号を移動端末から受信するための信号受信モジュール６４０をさらに含み、回転制御モジュール６１０は、信号受信モジュール６４０によりトリガー信号を受信すると、ファンが回転するように制御する操作を実行する。
【０１１９】
また、当該装置は、第１の送信モジュール６５０、及び／又は、第２の送信モジュール６６０、及び／又は、第３の送信モジュール６７０をさらに含む。上記第１の送信モジュール６５０は、空気品質情報を直接移動端末に送信するように構成される。上記第２の送信モジュール６６０は、サーバに空気品質情報を送信するように構成される。上記第３の送信モジュール６７０は、ホームゲートウェイ装置に空気品質情報を送信するように構成される。ここで、上記移動端末は、空気品質情報を表示するためのものであり、上記サーバは、空気品質情報を移動端末に転送するためのものであり、上記ホームゲートウェイ装置は、空気品質情報を移動端末に転送するためのものである。
【０１２０】
また、当該装置は、所定の時間間隔おきに設定された時点、又はユーザによって設定された検出時点である所定の時点に達したか否かを検出するように構成される時点検出モジュール６８０をさらに含み、回転制御モジュール６１０は、時点検出モジュールにより検出された結果、所定の時点に達した場合、ファンが回転するように制御する操作を実行する。
【０１２１】
また、当該装置は、第４の送信モジュール６９０、及び／又は、第５の送信モジュール６９１をさらに含む。
【０１２２】
第４の送信モジュール６９０は、空気品質情報をサーバに送信するように構成される。サーバは、移動端末からのトリガー信号を受信すると、過去に受信した全ての空気品質情報又は最後に受信した最も新しい空気品質情報を移動端末に転送するためのものであり、移動端末は、受信した空気品質情報を表示するためのものである。
【０１２３】
第５の送信モジュール６９１は、空気品質情報をホームゲートウェイ装置に送信するように構成される。ホームゲートウェイ装置は、移動端末からのトリガー信号を受信すると、過去に受信した全ての空気品質情報又は最後に受信した最も新しい空気品質情報を移動端末に転送するためのものであり、移動端末は、受信した空気品質情報を表示するためのものである。
【０１２４】
以上をまとめると、本発明の実施例にかかる空気品質取得装置によると、家電機器のファンが回転するように制御して、家電機器の所在環境の空気を流動させた後に、家電機器の空気品質検出装置により空気品質を検出して空気品質情報を得ることにより、従来技術において測定した空気品質が正確ではないという問題を解決し、所在環境の空気の流動時に空気品質を検出でき、さらに粉塵粒子の含有量を正確に測定することができ、測定した空気品質の正確度を向上させるという効果を達した。
【０１２５】
上記実施例における装置について、その各モジュールが操作を実行する具体的な方式は、当該方法に係る実施例において詳しく説明されたので、ここで詳しい説明を省略する。
【０１２６】
図７は、１つの例示的な実施例に係る空気品質取得用装置７００のブロック図である。例えば、装置７００は、携帯電話、コンピュータ、デジタル放送端末、メッセージ送受信装置、ゲームコンソール、タブレット装置、医療設備、フィットネス装置、ＰＤＡなどである。
【０１２７】
図７を参照すると、装置７００は、プロセスアセンブリ７０２、メモリ７０４、電源アセンブリ７０６、マルチメディアアセンブリ７０８、オーディオアセンブリ７１０、入出力（Ｉ／Ｏ）インタフェース７１２、センサアセンブリ７１４、及び通信アセンブリ７１６のような一つ或いは複数のアセンブリを含んでもよい。
【０１２８】
プロセスアセンブリ７０２は、一般的には装置７００の全体の動作を制御するものであり、例えば、表示、電話呼び出し、データ通信、カメラ操作、及び記録操作と関連する操作を制御する。プロセスアセンブリ７０２は、一つ以上のプロセッサ７１８を含み、これらによって命令を実行することにより、上記の方法の全部、或は一部のステップを実現するようにしてもよい。なお、プロセスアセンブリ７０２は、一つ以上のモジュールを含んでプロセスアセンブリ７０２と他のアセンブリの間のインタラクションを容易にしてもよい。例えば、プロセスアセンブリ７０２は、マルチメディアモジュールを含んでマルチメディアアセンブリ７０８とプロセスアセンブリ７０２の間のインタラクションを容易にしてもよい。
【０１２９】
メモリ７０４は、各種類のデータを記憶することにより装置７００の動作を支援するように構成される。これらのデータの例は、装置７００において操作されるいずれのアプリケーションプログラム又は方法の命令、連絡対象データ、電話帳データ、メッセージ、画像、ビデオ等を含む。メモリ７０４は、いずれかの種類の揮発性メモリ、不揮発性メモリ記憶デバイスまたはそれらの組み合わせによって実現されてもよく、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【０１３０】
電源アセンブリ７０６は、装置７００の各アセンブリに電力を供給する。電源アセンブリ７０６は、電源管理システム、一つ或いは複数の電源、及び装置７００のための電力の生成、管理、及び割り当てに関連する他のアセンブリを含んでもよい。
【０１３１】
マルチメディアアセンブリ７０８は、上記装置７００とユーザの間に一つの出力インタフェースを提供するスクリーンを含む。部分実施例において、スクリーンは、液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは、一つ以上のタッチセンサを含み、タッチ、スライド、及びタッチパネル上のジェスチャを検出することができる。上記タッチセンサは、タッチ、或はスライド動作の境界だけでなく、上記タッチ、或はスライド操作に係る継続時間、及び圧力も検出できる。部分実施例において、マルチメディアアセンブリ７０８は、一つのフロントカメラ、及び／又はリアカメラを含む。装置７００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０１３２】
オーディオアセンブリ７１０は、オーディオ信号を入出力するように構成される。例えば、オーディオアセンブリ７１０は、一つのマイク（ＭＩＣ）を含み、装置７００が、例えば呼出しモード、記録モード、及び音声認識モード等の操作モードにある場合、マイクは外部のオーディオ信号を受信することができる。受信されたオーディオ信号は、さらにメモリ７０４に記憶されたり、通信アセンブリ７１６を介して送信されたりする。部分実施例において、オーディオアセンブリ７１０は、オーディオ信号を出力するための一つのスピーカーをさらに含む。
【０１３３】
Ｉ／Ｏインタフェース７１２は、プロセスアセンブリ７０２と周辺インタフェースモジュールの間にインタフェースを提供するものであり、上記周辺インタフェースモジュールは、キーボード、クリックホイール、ボタン等であってもよい。これらのボタンは、ホームボタン、ボリュームボタン、起動ボタン、ロッキングボタンを含んでもよいが、これらに限定されない。
【０１３４】
センサアセンブリ７１４は、装置７００に各方面の状態に対する評価を提供するための一つ以上のセンサを含む。例えば、センサアセンブリ７１４は、装置７００のＯＮ／ＯＦＦ状態、装置７００のディスプレイとキーパッドのようなアセンブリの相対的な位置決めを検出できる。また、センサアセンブリ７１４は、装置７００、或いは装置７００の一つのアセンブリの位置変更、ユーザと装置７００とが接触しているか否か、装置７００の方位、又は加速／減速、装置７００の温度の変化を検出できる。センサアセンブリ７１４は、何れの物理的接触がない状態にて付近の物体の存在を検出するための近接センサを含んでもよい。センサアセンブリ７１４は、撮影アプリケーションに適用するため、ＣＭＯＳ、又はＣＣＤ画像センサのような光センサを含んでもよい。部分実施例において、当該センサアセンブリ７１４は、加速度センサ、ジャイロスコープセンサ、磁気センサ、圧力センサ、及び温度センサをさらに含んでもよい。
【０１３５】
通信アセンブリ７１６は、装置７００と他の機器の間に有線、又は無線形態の通信を提供する。装置７００は、例えばＷｉＦｉ、２Ｇ、３Ｇ、或はこれらの組み合わせのような、通信規格に基づいた無線ネットワークに接続されてもよい。一つの例示的な実施例において、通信アセンブリ７１６は、放送チャンネルを介して外部の放送管理システムからの放送信号、又は放送に関連する情報を受信する。一つの例示的な実施例において、上記通信アセンブリ７１６は、近距離無線通信（ＮＦＣ）モジュールをさらに含むことにより、近距離通信をプッシュする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ（登録商標））技術、及び他の技術に基づいて実現できる。
【０１３６】
例示的な実施例において、装置７００は、一つ以上のＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０１３７】
例示的な実施例において、命令を含むコンピュータ読取り可能な非一時的な記録媒体、例えば命令を含むメモリ７０４をさらに提供し、装置７００のプロセッサ７１８により上記命令を実行して上記方法を実現する。例えば、上記コンピュータ読取り可能な非一時的な記録媒体は、ＲＯＭ、ＲＡＭ、ＣＤ−ＲＯＭ、磁気テープ、フロッピーディスク（登録商標）、光データ記憶デバイス等である。
【０１３８】
本発明は、上記で記述し、図面で図示した特定の構成に限定されず、その範囲を離脱しない状況で、様様な修正と変更を実現できる。本発明の範囲は、添付される特許請求の範囲のみにより限定される。
【０１３９】
本願は、出願番号がＣＮ２０１４１０６７５６７２．２であって、出願日が２０１４年１１月２１日である中国特許出願に基づき優先権を主張し、当該中国特許出願のすべての内容を本願に援用する。
【図１】
2017504783.tif 000003
【図２】
2017504783.tif 000004
【図３Ａ】
2017504783.tif 000005
【図３Ｂ】
2017504783.tif 000006
【図３Ｃ】
2017504783.tif 000007
【図３Ｄ】
2017504783.tif 000008
【図４】
2017504783.tif 000009
【図５】
2017504783.tif 000010
【図６】
2017504783.tif 000011
【図７】
2017504783.tif 000012
【手続補正書】
【提出日】平成27年6月24日(2015.6.24)
【手続補正１】
【補正対象書類名】明細書
【補正対象項目名】全文
【補正方法】変更
【補正の内容】
【発明の詳細な説明】
【技術分野】
【０００１】
本発明は、検知の技術分野に関し、特に、空気品質取得方法、空気品質取得装置、プログラム、及び記録媒体に関する。
【背景技術】
【０００２】
工業化の発展につれて、大気汚染も、ますます深刻になりつつある。空気の品質を改善するために、空気清浄機が各家庭に普及されている。
【０００３】
普通の空気清浄機には、通常、所在環境の空気品質を検出することができる空気品質検出装置が設けられている。
【０００４】
本発明者は、本発明を実現する過程において、従来技術に少なくとも下記不備が存在することが分かった。空気の非流通時に、粉塵粒子が空気の中に浮遊してほぼ静止状態にあり、この場合、空気品質検出装置は、粉塵粒子の含有量を正確に測定することができない。そのため、測定した空気品質は、通常実際の空気品質より優れ、即ち、測定した空気品質の正確度が低い。
【発明の概要】
【０００５】
本発明の実施例は、従来技術において測定した空気品質の正確度が低いという問題を解決するために、空気品質取得方法、空気品質取得装置、プログラム、及び記録媒体を提供する。
【０００６】
本発明の実施例の第１の態様によると、ファンと空気品質検出装置を含む家電機器に用いられる空気品質取得方法を提供し、当該空気品質取得方法は、
前記ファンが回転するように制御するステップと、
前記空気品質検出装置により空気品質を検出するステップと、
前記空気品質検出装置の検出結果に基づいて空気品質情報を生成するステップと、を含む。
【０００７】
好ましくは、前記空気品質検出装置により空気品質を検出するステップは、
前記ファンの回転時間が所定の時間経過したか否かを検出するステップと、
前記回転時間が前記所定の時間経過した場合、前記空気品質検出装置により空気品質を検出するステップと、を含む。
【０００８】
好ましくは、前記ファンが回転するように制御するステップは、
現在の環境の空気流動速度が所定の速度に達したか否かを検出するステップと、
前記空気流動速度が前記所定の速度に達していない場合、前記ファンが回転するように制御するステップと、を含む。
【０００９】
好ましくは、前記空気品質取得方法は、
空気品質の検出をトリガーするためのトリガー信号を移動端末から受信するステップと、
前記トリガー信号を受信すると、前記ファンが回転するように制御する操作を実行するステップと、をさらに含む。
【００１０】
好ましくは、前記空気品質取得方法は、
前記空気品質情報を直接前記移動端末に送信するステップ、及び／又は、
前記空気品質情報をサーバに送信するステップ、及び／又は、
前記空気品質情報をホームゲートウェイ装置に送信するステップをさらに含み、
前記移動端末は、前記空気品質情報を表示するためのものであり、前記サーバは、前記空気品質情報を前記移動端末に転送するためのものであり、前記ホームゲートウェイ装置は、前記空気品質情報を前記移動端末に転送するためのものである。
【００１１】
好ましくは、前記空気品質取得方法は、
所定の時間間隔おきに設定された時点、又はユーザによって設定された検出時点である所定の時点に達したか否かを検出するステップと、
前記所定の時点に達すると、前記ファンが回転するように制御する操作を実行するステップと、をさらに含む。
【００１２】
好ましくは、前記空気品質取得方法は、
前記空気品質情報をサーバに送信するステップ、及び／又は、
前記空気品質情報をホームゲートウェイ装置に送信するステップをさらに含み、
前記サーバは、移動端末からのトリガー信号を受信すると、過去に受信した全ての空気品質情報又は最後に受信した最も新しい空気品質情報を前記移動端末に転送するためのものであり、
前記ホームゲートウェイ装置は、前記移動端末からの前記トリガー信号を受信すると、過去に受信した全ての空気品質情報又は最後に受信した最も新しい空気品質情報を移動端末に転送するためのものであり、
前記移動端末は、受信した空気品質情報を表示するためのものである。
【００１３】
本発明の実施例の第２の態様によると、ファンと空気品質検出装置を含む家電機器に用いられる空気品質取得装置を提供し、当該空気品質取得装置は、
前記ファンが回転するように制御するように構成される回転制御モジュールと、
前記空気品質検出装置により空気品質を検出するように構成される空気品質検出モジュールと、
前記空気品質検出装置の検出結果に基づいて空気品質情報を生成するように構成される情報取得モジュールと、を含む。
【００１４】
好ましくは、前記空気品質検出モジュールは、
前記ファンの回転時間が所定の時間経過したか否かを検出するように構成される時間長検出サブモジュールと、
前記時間長検出サブモジュールにより検出された結果、前記回転時間が前記所定の時間経過した場合、前記空気品質検出装置により空気品質を検出するように構成される空気品質検出サブモジュールと、を含む。
【００１５】
好ましくは、前記回転制御モジュールは、
現在の環境の空気流動速度が所定の速度に達したか否かを検出するように構成される速度検出サブモジュールと、
前記速度検出サブモジュールにより検出された結果、前記空気流動速度が前記所定の速度に達していない場合、前記ファンが回転するように制御するように構成される回転制御サブモジュールと、を含む。
【００１６】
好ましくは、前記空気品質取得装置は、空気品質の検出をトリガーするためのトリガー信号を移動端末から受信するように構成される信号受信モジュールをさらに含み、
前記回転制御モジュールは、前記信号受信モジュールにより前記トリガー信号を受信すると、前記ファンが回転するように制御する操作を実行する。
【００１７】
好ましくは、前記空気品質取得装置は、
前記空気品質情報を直接前記移動端末に送信するように構成される第１の送信モジュール、及び／又は、
前記空気品質情報をサーバに送信するように構成される第２の送信モジュール、及び／又は、
前記空気品質情報をホームゲートウェイ装置に送信するように構成される第３の送信モジュールをさらに含み、
前記移動端末は、前記空気品質情報を表示するためのものであり、前記サーバは、前記空気品質情報を前記移動端末に転送するためのものであり、前記ホームゲートウェイ装置は、前記空気品質情報を前記移動端末に転送するためのものである。
【００１８】
好ましくは、前記空気品質取得装置は、所定の時間間隔おきに設定された時点、又はユーザによって設定された検出時点である所定の時点に達したか否かを検出するように構成される時点検出モジュールをさらに含み、
前記回転制御モジュールは、前記時点検出モジュールにより検出された結果、前記所定の時点に達した場合、前記ファンが回転するように制御する操作を実行する。
【００１９】
好ましくは、前記空気品質取得装置は、
前記空気品質情報をサーバに送信するように構成される第４の送信モジュール、及び／又は、
前記空気品質情報をホームゲートウェイ装置に送信するように構成される第５の送信モジュールをさらに含み、
前記サーバは、移動端末からのトリガー信号を受信すると、過去に受信した全ての空気品質情報又は最後に受信した最も新しい空気品質情報を前記移動端末に転送するためのものであり、
前記ホームゲートウェイ装置は、前記移動端末からの前記トリガー信号を受信すると、過去に受信した全ての空気品質情報又は最後に受信した最も新しい空気品質情報を移動端末に転送するためのものであり、
前記移動端末は、受信した空気品質情報を表示するためのものである。
【００２０】
本発明の実施例の第３の態様によると、ファンと空気品質検出装置を含む家電機器に用いられる空気品質取得装置を提供し、当該空気品質取得装置は、
プロセッサと、
前記プロセッサにより実行可能な命令を記憶するためのメモリと、を含み、
前記プロセッサは、
前記ファンが回転するように制御し、
前記空気品質検出装置により空気品質を検出し、
前記空気品質検出装置の検出結果に基づいて空気品質情報を生成するように構成される。
【００２１】
本発明の実施例の第４の態様によると、プログラムを提供し、当該プログラムは、プロセッサに実行されることにより、上記空気品質取得方法を実現する。
【００２２】
本発明の実施例の第５の態様によると、記録媒体を提供し、当該記録媒体には、上記プログラムが記録されている。
【００２３】
本発明の実施例による技術案は、以下の有益な効果を有することができる。
【００２４】
家電機器のファンが回転するように制御して、家電機器の所在環境の空気を流動させた後に、家電機器の空気品質検出装置により空気品質を検出して空気品質情報を得ることにより、従来技術において測定した空気品質が正確ではないという問題を解決し、所在環境の空気の流動時に空気品質を検出でき、さらに粉塵粒子の含有量を正確に測定することができ、測定した空気品質の正確度を向上させるという効果を達した。
【００２５】
以上の一般的な記述と、以下の詳細の記述は、ただ例示的なものであって、本発明を限定するものではないことを理解すべきである。
【図面の簡単な説明】
【００２６】
ここの図面は、明細書に組み入れて本明細書の一部分を構成し、本発明に該当する実施例を例示するとともに、明細書とともに本発明の原理を解釈するために用いられる。
【００２７】
【図１】図１は、一部の例示的な実施例にかかる空気品質取得方法に関する実施環境の模式図である。
【図２】図２は、一つの例示的な実施例にかかる空気品質取得方法のフローチャートである。
【図３Ａ】図３Ａは、別の例示的な実施例にかかる空気品質取得方法のフローチャートである。
【図３Ｂ】図３Ｂは、別の例示的な実施例にかかる、移動端末がトリガー信号を受信する時の表示模式図である。
【図３Ｃ】図３Ｃは、別の例示的な実施例にかかる、移動端末が空気品質情報を表示する時の模式図である。
【図３Ｄ】図３Ｄは、別の例示的な実施例にかかる、空気清浄機が空気品質を検出する時の移動端末の表示模式図である。
【図４】図４は、さらに別の例示的な実施例にかかる空気品質取得方法のフローチャートである。
【図５】図５は、一つの例示的な実施例にかかる空気品質取得装置のブロック図である。
【図６】図６は、別の例示的な実施例にかかる空気品質取得装置のブロック図である。
【図７】図７は、一つの例示的な実施例にかかる空気品質取得用装置のブロック図である。
【発明を実施するための形態】
【００２８】
ここで、図面に示される例示的な実施例について詳細に説明する。以下、図面に関連して説明する際に、特別な説明がない限り、異なる図面での同一符号は、同一または類似な要素を示す。以下の例示的な実施例で記載する実施形態は、本発明に一致する全ての実施形態を代表するわけではない。かえって、それらは、添付される特許請求の範囲で詳細に記載される本発明の一部の態様に一致する装置、及び方法の例に過ぎない。
【００２９】
図１は、本発明の各例示的な実施例に関する実施環境の構成模式図である。図１に示すように、当該実施環境には、家電機器１１０、ホームゲートウェイ装置１２０、移動端末１３０、及びサーバ１４０が含まれる。
【００３０】
家電機器１１０には、家電機器の所在環境の空気を流動させるためのファンと、所在環境の空気品質を検出するための空気品質検出装置を含む。当該ファンは、元々家電機器１１０に設けられているものであってもよく、わざわざ空気品質検出装置の付近位置に設けたものであってもよい。当該家電機器１１０は、有線や無線ネットワークを介してホームゲートウェイ装置１２０に接続することができ、ホームゲートウェイ装置１２０を介して、移動端末１３０、及びサーバ１４０に接続される。実際に、当該家電機器１１０は、空気清浄機又は空気品質検出器である。
【００３１】
移動端末１３０には、クライアントがインストールされている。当該クライアントは、サービス提供側から提供されるものである。ユーザは、当該クライアントを通じて家電機器１１０を制御することができる。実際に、移動端末１３０と家電機器１１０が同一のＬＡＮにある場合、移動端末１３０は、ホームゲートウェイ装置１２０を通じて家電機器１１０を検索することができ、移動端末１３０と家電機器１１０との間にバインディング関係を確立することができる。家電機器１１０は、１つ又は複数の移動端末１３０とのバインディングが可能である。
【００３２】
サーバ１４０は、サービス提供側から提供されるバックグランドサーバであり、移動端末１３０のクライアントと協力して、サービス提供側からのサービスをユーザに提供する。
【００３３】
図２は、一つの例示的な実施例にかかる空気品質取得方法のフローチャートである。図２に示すように、当該空気品質取得方法は、図１に示す家電機器１１０に適用される。当該空気品質取得方法は、以下のステップを含む。
【００３４】
ステップ２０１において、ファンが回転するように制御する。
【００３５】
ステップ２０２において、空気品質検出装置により空気品質を検出する。
【００３６】
ステップ２０３において、空気品質検出装置の検出結果に基づいて空気品質情報を生成する。
【００３７】
以上をまとめると、本発明の実施例にかかる空気品質取得方法によると、家電機器のファンが回転するように制御して、家電機器の所在環境の空気を流動させた後に、家電機器の空気品質検出装置により空気品質を検出して空気品質情報を得ることにより、従来技術において測定した空気品質が正確ではないという問題を解決し、所在環境の空気の流動時に空気品質を検出でき、さらに粉塵粒子の含有量を正確に測定することができ、測定した空気品質の正確度を向上させるという効果を達した。
【００３８】
実際に、家電機器は、以下の２つの場合に空気品質を検出することができる。
【００３９】
ケース１：空気品質の検出をトリガーするためのトリガー信号を移動端末から受信したときに検出する。
【００４０】
ケース２：所定の時間間隔おきに設定された時点、又はユーザによって設定された検出時点である所定の時点に検出する。
【００４１】
そのため、以下、上記２つの場合について、２つの例示的な実施例において詳細に説明する。
【００４２】
図３Ａは、一つの例示的な実施例にかかる空気品質取得方法のフローチャートである。本実施例は、当該空気品質取得方法が図１に示す家電機器１１０に適用され、且つ家電機器が上記ケース１に空気品質を検出することを例として説明する。図３Ａに示すように、当該空気品質取得方法は、以下のステップを含む。
【００４３】
ステップ３０１において、空気品質の検出をトリガーするためのトリガー信号を移動端末から受信する。
【００４４】
本実施例は、家電機器が空気清浄機であることを例とする。ユーザは、空気品質を確認したい場合、空気品質の検出をトリガーするためのトリガー信号を空気清浄機に送信するように移動端末を操作することができる。当該空気清浄機は、当該トリガー信号を受信することができる。
【００４５】
例えば、明さんは、自宅の空気品質を確認したい場合、携帯電話にインストールされている、空気清浄機にサービスを提供するクライアントを開く。図３Ｂに示すように、明さんは、クライアントで「室内の空気品質を検出」をクリックすることができる。携帯電話は、クリック信号を受信すると、空気品質の検出をトリガーするためのトリガー信号を空気清浄機に送信する。対応的に、空気清浄機は、携帯電話からのトリガー信号を受信することができる。
【００４６】
ステップ３０２において、トリガー信号を受信すると、ファンが回転するように制御する操作を実行する。
【００４７】
空気清浄機は、トリガー信号を受信すると、当該空気清浄機におけるファンが回転するように制御することができる。当該ファンは、所在環境の空気を流動させるためのものである。当該ファンは、空気清浄機に元々あるものであってもよく、空気品質検出装置の前に別途に設けたものであってもよいが、本実施例では、これについて限定しない。
【００４８】
空気清浄機は、トリガー信号を受信すると、ファンのモータを動作させ、モータの回転によりファンを回転させる。
【００４９】
ステップ３０３において、空気品質検出装置により空気品質を検出する。
【００５０】
ファンが回転して空気清浄機の所在環境の空気が流動し始めると、空気清浄機は、内部の空気品質検出装置により、所在環境の空気品質を検出することができる。
【００５１】
ステップ３０４において、空気品質検出装置の検出結果に基づいて空気品質情報を生成する。
【００５２】
空気清浄機は、空気品質検出装置の検出結果に基づいて空気品質情報を生成することができる。ここで、空気品質情報は、空気品質レベル、ＡＱＩ（Ａｉｒ Ｑｕａｌｉｔｙ Ｉｎｄｅｘ、空気品質指数）、微細粒子含有量、呼吸域粒子含有量、二酸化硫黄含有量、二酸化窒素含有量、オゾン含有量、及び一酸化炭素含有量のうちの少なくとも一つを含む。
【００５３】
空気清浄機は、空気品質情報を取得すると、取得した空気品質情報をユーザにフィードバックすることができる。実際に、空気清浄機は、以下の方式のうちの少なくとも一つによりフィードバックすることができる。
【００５４】
第１の方式
空気品質情報を表示するための移動端末に直接空気品質情報を送信する。
【００５５】
空気清浄機は、空気品質情報を移動端末に送信する。当該移動端末は、空気品質情報を受信すると、当該空気品質情報を表示する。
【００５６】
第２の方式
空気品質情報を移動端末に転送するためのサーバに空気品質情報を送信する。移動端末は、空気品質情報を表示するために用いられる。
【００５７】
空気清浄機は、取得した空気品質情報をサーバに送信し、サーバは、当該空気品質情報を移動端末に転送する。移動端末は、サーバから送信された空気品質情報を受信して表示する。
【００５８】
サーバは、例えば、クライアントにサービスを提供するバックグランドサーバであり、移動端末には当該クライアントがインストールされている。従って、サーバは、クライアントのアカウント情報に基づいて、当該空気品質情報を当該移動端末に送信することができる。本実施例は、これについて限定しない。
【００５９】
第３の方式
空気品質情報を移動端末に転送するためのホームゲートウェイ装置に空気品質情報を送信する。移動端末は、空気品質情報を表示するために用いられる。
【００６０】
移動端末がホームゲートウェイ装置の情報にアクセスすることができるため、空気清浄機は、取得した空気品質情報をホームゲートウェイ装置に送信して、ホームゲートウェイ装置から当該空気品質情報を移動端末に転送するようにしてもよい。移動端末は、対応的に当該空気品質情報を受信して表示する。
【００６１】
例えば、空気品質情報が空気品質レベルと粒子総量を含み、且つ空気品質レベルが優、粒子総量が３０であることを例とする。携帯電話は、空気品質情報を受信すると、図３Ｃに示す表示画面を表示する。図３Ｃに示すように、携帯電話は、空気清浄機により測定された空気品質情報を表示するとともに、室外の空気品質情報を表示することもできる。室外の空気品質情報は、携帯電話がサーバから取得した情報であってもよいが、本実施例では、これについて限定しない。
【００６２】
なお、移動端末は、トリガー信号を空気清浄機に送信してから、空気品質情報を表示する前に、空気清浄機が空気品質の検出中にあることを示すための表示画面を表示することができる、という点に留意すべきである。例えば、同じく上記例を挙げ、明さんが図３Ｂの「室内の空気品質を検出」をクリックし、携帯電話がトリガー信号を空気清浄機に送信した後に、携帯電話は、図３Ｄに示す画面を表示することができ、空気品質情報を受信すると、図３Ｃに示す画面を表示する。
【００６３】
なお、本実施例は、ユーザが移動端末を通じてトリガー信号を空気清浄機に送信する場合を例としたが、実際に、空気清浄機に空気品質の検出をトリガーするためのスイッチを設けることができるため、ユーザは、直接空気清浄機におけるスイッチを通じて空気品質の検出をトリガーすることもできる、という点にさらに留意すべきである。即ち、空気清浄機は、ユーザによるスイッチをオンさせるトリガー信号を直接受信することができ、本実施例は、これについて限定しない。
【００６４】
なお、空気清浄機に、空気品質を示すための表示ランプを設けることができるため、空気清浄機は、空気品質情報を測定して得ると、測定結果を表示灯によりユーザにフィードバックすることができる、という点にさらに留意すべきである。例えば、緑のランプは、空気品質が優、黄色のランプは、空気品質が良、赤のランプは、空気品質が汚染であることを示すが、実施例では、これについて限定しない。また、実際に、空気清浄機に表示パネルが設けられている場合、空気清浄機は、表示パネルを通じて空気品質情報をユーザに対して表示することもでき、本実施例では、これについても限定しない。
【００６５】
以上をまとめると、本発明の実施例にかかる空気品質取得方法によると、家電機器のファンが回転するように制御して、家電機器の所在環境の空気を流動させた後に、家電機器の空気品質検出装置により空気品質を検出して空気品質情報を得ることにより、従来技術において測定した空気品質が正確ではないという問題を解決し、所在環境の空気の流動時に空気品質を検出でき、さらに粉塵粒子の含有量を正確に測定することができ、測定した空気品質の正確度を向上させるという効果を達した。
【００６６】
図４は、一つの例示的な実施例にかかる空気品質取得方法のフローチャートである。本実施例は、当該空気品質取得方法が図１に示す家電機器１１０に適用され、且つ家電機器が上記ケース２において空気品質を検出することを例として説明する。図４に示すように、当該空気品質取得方法は、以下のステップを含む。
【００６７】
ステップ４０１において、所定の時間間隔おきに設定された時点、又はユーザによって設定された検出時点である所定の時点に達したか否かを検出する。
【００６８】
本実施例は、同じく家電機器が空気清浄機であることを例とする。空気清浄機は、所定の時点に達したか否かをリアルタイムに検出することができる。
【００６９】
ここで、所定の時点は、所定の時間間隔おきに設定された時点である。所定の時間間隔は、空気清浄機におけるデフォルトの時間間隔であってもよく、ユーザによって予め設定された時間間隔であってもよい。例えば、ユーザが予め携帯電話を通じて「正時の時点に室内の空気品質を検出する」と設定し、当該設定情報を空気清浄機に送信した場合、所定の時点は、「１時、２時、３時」などの正時の時点である。
【００７０】
又は、所定の時点は、ユーザによって設定された検出時点である。例えば、ユーザが予め「午後５：３０に室内の空気品質を検出する」と設定すると、所定の時点は、ユーザによって設定された午後５：３０である。
【００７１】
ステップ４０２において、所定の時点に達すると、ファンが回転するように制御する操作を実行する。
【００７２】
空気清浄機の検出結果として、所定の時点に達すると、空気清浄機は、ファンが回転するように制御することができる。当該ファンは、所在環境の空気を流動させるためのものである。当該ファンは、空気清浄機に元々あるものであってもよく、空気品質検出装置の前に別途に設けたものであってもよいが、本実施例では、これについて限定しない。
【００７３】
空気清浄機は、ファンのモータを動作させ、モータの回転によりファンを回転させる。
【００７４】
ステップ４０３において、空気品質検出装置により空気品質を検出する。
【００７５】
ファンが回転して空気清浄機の所在環境の空気が流動し始めると、空気清浄機は、内部の空気品質検出装置により、所在環境の空気品質を検出することができる。
【００７６】
ステップ４０４において、空気品質検出装置の検出結果に基づいて空気品質情報を生成する。
【００７７】
空気清浄機は、空気品質検出装置の検出結果に基づいて空気品質情報を生成することができる。ここで、空気品質情報は、空気品質レベル、ＡＱＩ、微細粒子含有量、呼吸域粒子含有量、二酸化硫黄含有量、二酸化窒素含有量、オゾン含有量、及び一酸化炭素含有量のうちの少なくとも一つを含む。
【００７８】
空気清浄機は、空気品質情報を取得すると、取得した空気品質情報をユーザにフィードバックすることができる。実際に、空気清浄機は、以下の方式のうちの少なくとも一つによりフィードバックすることができる。
【００７９】
第1の方式
空気品質情報をサーバに送信する。サーバは、移動端末からのトリガー信号を受信すると、過去に受信した全ての空気品質情報又は最後に受信した最も新しい空気品質情報を移動端末に転送するためのものであり、移動端末は、受信した空気品質情報を表示するためのものである。
【００８０】
空気清浄機は、空気品質情報を取得すると、当該空気品質情報をサーバに送信する。サーバは、移動端末からのトリガー信号を受信すると、過去に受信した全ての空気品質情報又は最後に受信した最も新しい空気品質情報を移動端末に転送するためのものであり、移動端末は、受信した空気品質情報を表示するためのものである。
【００８１】
移動端末は、クライアントの所在する端末であり、サーバは、当該クライアントにサービスを提供するバックグランドサーバである。移動端末は、トリガー信号をサーバに送信し、サーバは、トリガー信号を受信すると、空気清浄機から受信した各空気品質情報を移動端末に転送する。又は、サーバは、トリガー信号を受信すると、最後に受信した最も新しい空気品質情報を移動端末に転送する。ここで、当該トリガー信号は、ユーザがクライアントにおける情報取得ボタンを長時間押すことにより、移動端末から送信されるトリガー信号であってもよいが、本実施例では、これについて限定しない。
【００８２】
移動端末からサーバへのトリガー信号の送信は、以下のありうる実現方式のうちの少なくとも一つを含む。
【００８３】
（１）移動端末のスクリーンが点灯すると、自動的にトリガー信号をサーバに送信する。
【００８４】
ユーザが端末のスクリーンを点灯させると、移動端末から自動的にトリガー信号をサーバに送信する。
【００８５】
（２）移動端末の画面のロック解除時に、自動的にトリガー信号をサーバに送信する。
【００８６】
（３）移動端末においてクライアントを運転させると、自動的にトリガー信号をサーバに送信する。
【００８７】
ユーザがクライアントを開くと、移動端末から自動的にトリガー信号をサーバに送信する。
【００８８】
（４）移動端末がネットワークに接続されると、自動的にトリガー信号をサーバに送信する。
【００８９】
移動端末は、空気品質情報を受信すると、当該空気品質情報を表示する。
【００９０】
第２の方式
空気品質情報をホームゲートウェイ装置に送信する。ホームゲートウェイ装置は、移動端末からのトリガー信号を受信すると、過去に受信した全ての空気品質情報又は最後に受信した最も新しい空気品質情報を移動端末に転送するためのものであり、移動端末は、受信した空気品質情報を表示するためのものである。
【００９１】
上記の実現方式と類似的に、空気清浄機は、測定した空気品質情報をホームゲートウェイ装置に送信することができる。ホームゲートウェイ装置は、移動端末からのトリガー信号を受信すると、過去に受信した全ての空気品質情報又は最後に受信した最も新しい空気品質情報を移動端末に転送するためのものであり、移動端末は、受信した空気品質情報を表示するためのものである。本実施例では、ここで繰り返して説明しない。
【００９２】
以上をまとめると、本発明の実施例にかかる空気品質取得方法によると、家電機器のファンが回転するように制御して、家電機器の所在環境の空気を流動させた後に、家電機器の空気品質検出装置により空気品質を検出して空気品質情報を得ることにより、従来技術において測定した空気品質が正確ではないという問題を解決し、所在環境の空気の流動時に空気品質を検出でき、さらに粉塵粒子の含有量を正確に測定することができ、測定した空気品質の正確度を向上させるという効果を達した。
【００９３】
本実施例において、家電機器は、所定の時点に達したときに、直接、ファンが回転するように制御し、更に空気品質情報を測定することで、空気品質取得時のユーザの操作を簡単化した。
【００９４】
なお、上記各実施例において、家電機器がファンを制御して回転するようにすることが以下のステップを含んでもよい、という点に留意すべきである。
【００９５】
第１に、現在の環境の空気流動速度が所定の速度に達したか否かを検出する。
【００９６】
家電機器は、現在の環境の空気流動速度を取得し、取得した空気流動速度が所定の速度に達したか否かを検出することができる。
【００９７】
第２に、空気流動速度が所定の速度に達していない場合、ファンが回転するように制御する。
【００９８】
家電機器により検出した結果、空気流動速度が所定の速度に達していない場合、空気流動がスムーズではないことにより、測定した空気品質が正確ではないという問題を避けるために、家電機器は、ファンが回転するように制御する。家電機器は、ファンの回転により空気を流動させてから空気品質を検出することにより、測定した空気品質の正確度を高める。
【００９９】
一方、空気流動速度が所定の速度に達した場合、家電機器は、直接空気品質検出装置により空気品質を検出する。本実施例では、これについて限定しない。
【０１００】
なお、上記各実施例において、家電機器が空気品質検出装置により空気品質を検出するステップは、以下のステップを含むことができる、という点に留意すべきである。
【０１０１】
第１に、ファンの回転時間が所定の時間経過したか否かを検出する。
【０１０２】
家電機器は、ファンが回転するように制御してから、ファンの回転時間を統計し、ファンの回転時間が所定の時間経過したか否かを検出する。
【０１０３】
例えば、所定の時間を３０Ｓに設定すると、家電機器は、ファンが回転するように制御してから、ファンの回転時間が３０Ｓ経過したか否かを検出する。
【０１０４】
第２に、回転時間が所定の時間経過すると、空気品質検出装置により空気品質を検出する。
【０１０５】
家電機器により検出した結果、所定の時間経過した場合、家電機器の所在環境の空気が完全に流動していることを表す。このとき、家電機器は、空気品質検出装置により空気品質を検出する。
【０１０６】
本実施例においては、ファンを一定時間回転させてから空気品質を検出することにより、空気流動がスムーズではないことにより、空気品質検出装置が空気品質を正確に検出できないという問題を避け、測定した空気品質の正確度をさらに高める。
【０１０７】
なお、家電機器が空気清浄機の場合、空気清浄機が空気を浄化できるため、空気清浄機が測定した空気品質情報が、空気品質が比較的悪いことを示す情報である場合、空気清浄機は、直接空気浄化を開始するか、知らせをする（アラーム、提示灯又は提示音）か、現在の空気品質が比較的悪く空気清浄機の稼動をユーザに薦めるための知らせ情報を移動端末に送信することができる、という点に留意すべきである。移動端末は、当該知らせ情報を表示し、ユーザからの確認信号を受信すると、空気清浄機が空気浄化を行うように制御する。本実施例では、これについて限定しない。
【０１０８】
以下は、本発明の方法の実施例を実行可能な本発明の装置の実施例である。本発明の装置の実施例に開示されない詳細は、本発明の方法の実施例を参照すればよい。
【０１０９】
図５は、一つの例示的な実施例にかかる空気品質取得装置のブロック図である。図５に示すように、当該空気品質取得装置は、図１に示す家電機器１１０に適用される。当該空気品質取得装置は、回転制御モジュール５１０、空気品質検出モジュール５２０、及び情報取得モジュール５３０を含むが、それらに限らない。
【０１１０】
回転制御モジュール５１０は、ファンが回転するように制御するように構成される。
【０１１１】
空気品質検出モジュール５２０は、空気品質検出装置により空気品質を検出するように構成される。
【０１１２】
情報取得モジュール５３０は、空気品質検出装置の検出結果に基づいて空気品質情報を生成するように構成される。
【０１１３】
以上をまとめると、本発明の実施例にかかる空気品質取得装置によると、家電機器のファンが回転するように制御して、家電機器の所在環境の空気を流動させた後に、家電機器の空気品質検出装置により空気品質を検出して空気品質情報を得ることにより、従来技術において測定した空気品質が正確ではないという問題を解決し、所在環境の空気の流動時に空気品質を検出でき、さらに粉塵粒子の含有量を正確に測定することができ、測定した空気品質の正確度を向上させるという効果を達した。
【０１１４】
図６は、別の例示的な実施例にかかる空気品質取得装置のブロック図である。図６に示すように、当該空気品質取得装置は、図１に示す家電機器１１０に適用される。当該空気品質取得装置は、回転制御モジュール６１０、空気品質検出モジュール６２０、及び情報取得モジュール６３０を含むが、それらに限らない。
【０１１５】
回転制御モジュール６１０は、ファンが回転するように制御するように構成される。
【０１１６】
空気品質検出モジュール６２０は、空気品質検出装置により空気品質を検出するように構成される。
【０１１７】
情報取得モジュール６３０は、空気品質検出装置の検出結果に基づいて空気品質情報を生成するように構成される。
【０１１８】
また、空気品質検出モジュール６２０は、ファンの回転時間が所定の時間経過したか否かを検出するように構成される時間長検出サブモジュール６２１と、時間長検出サブモジュール６２１により検出された結果、回転時間が所定の時間経過した場合、空気品質検出装置により空気品質を検出するように構成される空気品質検出サブモジュール６２２とを含む。
【０１１９】
また、回転制御モジュール６１０は、現在の環境の空気流動速度が所定の速度に達したか否かを検出するように構成される速度検出サブモジュール６１１と、速度検出サブモジュールにより検出された結果、空気流動速度が所定の速度に達していない場合、ファンが回転するように制御するように構成される回転制御サブモジュール６１２とを含む。
【０１２０】
また、当該装置は、空気品質の検出をトリガーするためのトリガー信号を移動端末から受信するための信号受信モジュール６４０をさらに含み、回転制御モジュール６１０は、信号受信モジュール６４０によりトリガー信号を受信すると、ファンが回転するように制御する操作を実行する。
【０１２１】
また、当該装置は、第１の送信モジュール６５０、及び／又は、第２の送信モジュール６６０、及び／又は、第３の送信モジュール６７０をさらに含む。上記第１の送信モジュール６５０は、空気品質情報を直接移動端末に送信するように構成される。上記第２の送信モジュール６６０は、サーバに空気品質情報を送信するように構成される。上記第３の送信モジュール６７０は、ホームゲートウェイ装置に空気品質情報を送信するように構成される。ここで、上記移動端末は、空気品質情報を表示するためのものであり、上記サーバは、空気品質情報を移動端末に転送するためのものであり、上記ホームゲートウェイ装置は、空気品質情報を移動端末に転送するためのものである。
【０１２２】
また、当該装置は、所定の時間間隔おきに設定された時点、又はユーザによって設定された検出時点である所定の時点に達したか否かを検出するように構成される時点検出モジュール６８０をさらに含み、回転制御モジュール６１０は、時点検出モジュールにより検出された結果、所定の時点に達した場合、ファンが回転するように制御する操作を実行する。
【０１２３】
また、当該装置は、第４の送信モジュール６９０、及び／又は、第５の送信モジュール６９１をさらに含む。
【０１２４】
第４の送信モジュール６９０は、空気品質情報をサーバに送信するように構成される。サーバは、移動端末からのトリガー信号を受信すると、過去に受信した全ての空気品質情報又は最後に受信した最も新しい空気品質情報を移動端末に転送するためのものであり、移動端末は、受信した空気品質情報を表示するためのものである。
【０１２５】
第５の送信モジュール６９１は、空気品質情報をホームゲートウェイ装置に送信するように構成される。ホームゲートウェイ装置は、移動端末からのトリガー信号を受信すると、過去に受信した全ての空気品質情報又は最後に受信した最も新しい空気品質情報を移動端末に転送するためのものであり、移動端末は、受信した空気品質情報を表示するためのものである。
【０１２６】
以上をまとめると、本発明の実施例にかかる空気品質取得装置によると、家電機器のファンが回転するように制御して、家電機器の所在環境の空気を流動させた後に、家電機器の空気品質検出装置により空気品質を検出して空気品質情報を得ることにより、従来技術において測定した空気品質が正確ではないという問題を解決し、所在環境の空気の流動時に空気品質を検出でき、さらに粉塵粒子の含有量を正確に測定することができ、測定した空気品質の正確度を向上させるという効果を達した。
【０１２７】
上記実施例における装置について、その各モジュールが操作を実行する具体的な方式は、当該方法に係る実施例において詳しく説明されたので、ここで詳しい説明を省略する。
【０１２８】
図７は、１つの例示的な実施例に係る空気品質取得用装置７００のブロック図である。例えば、装置７００は、携帯電話、コンピュータ、デジタル放送端末、メッセージ送受信装置、ゲームコンソール、タブレット装置、医療設備、フィットネス装置、ＰＤＡなどである。
【０１２９】
図７を参照すると、装置７００は、プロセスアセンブリ７０２、メモリ７０４、電源アセンブリ７０６、マルチメディアアセンブリ７０８、オーディオアセンブリ７１０、入出力（Ｉ／Ｏ）インタフェース７１２、センサアセンブリ７１４、及び通信アセンブリ７１６のような一つ或いは複数のアセンブリを含んでもよい。
【０１３０】
プロセスアセンブリ７０２は、一般的には装置７００の全体の動作を制御するものであり、例えば、表示、電話呼び出し、データ通信、カメラ操作、及び記録操作と関連する操作を制御する。プロセスアセンブリ７０２は、一つ以上のプロセッサ７１８を含み、これらによって命令を実行することにより、上記の方法の全部、或は一部のステップを実現するようにしてもよい。なお、プロセスアセンブリ７０２は、一つ以上のモジュールを含んでプロセスアセンブリ７０２と他のアセンブリの間のインタラクションを容易にしてもよい。例えば、プロセスアセンブリ７０２は、マルチメディアモジュールを含んでマルチメディアアセンブリ７０８とプロセスアセンブリ７０２の間のインタラクションを容易にしてもよい。
【０１３１】
メモリ７０４は、各種類のデータを記憶することにより装置７００の動作を支援するように構成される。これらのデータの例は、装置７００において操作されるいずれのアプリケーションプログラム又は方法の命令、連絡対象データ、電話帳データ、メッセージ、画像、ビデオ等を含む。メモリ７０４は、いずれかの種類の揮発性メモリ、不揮発性メモリ記憶デバイスまたはそれらの組み合わせによって実現されてもよく、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【０１３２】
電源アセンブリ７０６は、装置７００の各アセンブリに電力を供給する。電源アセンブリ７０６は、電源管理システム、一つ或いは複数の電源、及び装置７００のための電力の生成、管理、及び割り当てに関連する他のアセンブリを含んでもよい。
【０１３３】
マルチメディアアセンブリ７０８は、上記装置７００とユーザの間に一つの出力インタフェースを提供するスクリーンを含む。部分実施例において、スクリーンは、液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは、一つ以上のタッチセンサを含み、タッチ、スライド、及びタッチパネル上のジェスチャを検出することができる。上記タッチセンサは、タッチ、或はスライド動作の境界だけでなく、上記タッチ、或はスライド操作に係る継続時間、及び圧力も検出できる。部分実施例において、マルチメディアアセンブリ７０８は、一つのフロントカメラ、及び／又はリアカメラを含む。装置７００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０１３４】
オーディオアセンブリ７１０は、オーディオ信号を入出力するように構成される。例えば、オーディオアセンブリ７１０は、一つのマイク（ＭＩＣ）を含み、装置７００が、例えば呼出しモード、記録モード、及び音声認識モード等の操作モードにある場合、マイクは外部のオーディオ信号を受信することができる。受信されたオーディオ信号は、さらにメモリ７０４に記憶されたり、通信アセンブリ７１６を介して送信されたりする。部分実施例において、オーディオアセンブリ７１０は、オーディオ信号を出力するための一つのスピーカーをさらに含む。
【０１３５】
Ｉ／Ｏインタフェース７１２は、プロセスアセンブリ７０２と周辺インタフェースモジュールの間にインタフェースを提供するものであり、上記周辺インタフェースモジュールは、キーボード、クリックホイール、ボタン等であってもよい。これらのボタンは、ホームボタン、ボリュームボタン、起動ボタン、ロッキングボタンを含んでもよいが、これらに限定されない。
【０１３６】
センサアセンブリ７１４は、装置７００に各方面の状態に対する評価を提供するための一つ以上のセンサを含む。例えば、センサアセンブリ７１４は、装置７００のＯＮ／ＯＦＦ状態、装置７００のディスプレイとキーパッドのようなアセンブリの相対的な位置決めを検出できる。また、センサアセンブリ７１４は、装置７００、或いは装置７００の一つのアセンブリの位置変更、ユーザと装置７００とが接触しているか否か、装置７００の方位、又は加速／減速、装置７００の温度の変化を検出できる。センサアセンブリ７１４は、何れの物理的接触がない状態にて付近の物体の存在を検出するための近接センサを含んでもよい。センサアセンブリ７１４は、撮影アプリケーションに適用するため、ＣＭＯＳ、又はＣＣＤ画像センサのような光センサを含んでもよい。部分実施例において、当該センサアセンブリ７１４は、加速度センサ、ジャイロスコープセンサ、磁気センサ、圧力センサ、及び温度センサをさらに含んでもよい。
【０１３７】
通信アセンブリ７１６は、装置７００と他の機器の間に有線、又は無線形態の通信を提供する。装置７００は、例えばＷｉＦｉ、２Ｇ、３Ｇ、或はこれらの組み合わせのような、通信規格に基づいた無線ネットワークに接続されてもよい。一つの例示的な実施例において、通信アセンブリ７１６は、放送チャンネルを介して外部の放送管理システムからの放送信号、又は放送に関連する情報を受信する。一つの例示的な実施例において、上記通信アセンブリ７１６は、近距離無線通信（ＮＦＣ）モジュールをさらに含むことにより、近距離通信をプッシュする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ（登録商標））技術、及び他の技術に基づいて実現できる。
【０１３８】
例示的な実施例において、装置７００は、一つ以上のＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０１３９】
例示的な実施例において、命令を含むコンピュータ読取り可能な非一時的な記録媒体、例えば命令を含むメモリ７０４をさらに提供し、装置７００のプロセッサ７１８により上記命令を実行して上記方法を実現する。例えば、上記コンピュータ読取り可能な非一時的な記録媒体は、ＲＯＭ、ＲＡＭ、ＣＤ−ＲＯＭ、磁気テープ、フロッピーディスク（登録商標）、光データ記憶デバイス等である。
【０１４０】
本発明は、上記で記述し、図面で図示した特定の構成に限定されず、その範囲を離脱しない状況で、様様な修正と変更を実現できる。本発明の範囲は、添付される特許請求の範囲のみにより限定される。
【０１４１】
本願は、出願番号がＣＮ２０１４１０６７５６７２.２であって、出願日が２０１４年１１月２１日である中国特許出願に基づき優先権を主張し、当該中国特許出願のすべての内容を本願に援用する。
【手続補正２】
【補正対象書類名】特許請求の範囲
【補正対象項目名】全文
【補正方法】変更
【補正の内容】
【特許請求の範囲】
【請求項１】
ファンと空気品質検出装置を含む家電機器に用いられる空気品質取得方法であって、
前記ファンが回転するように制御するステップと、
前記空気品質検出装置により空気品質を検出するステップと、
前記空気品質検出装置の検出結果に基づいて空気品質情報を生成するステップと、
を含むことを特徴とする空気品質取得方法。
【請求項２】
前記空気品質検出装置により空気品質を検出するステップは、
前記ファンの回転時間が所定の時間経過したか否かを検出するステップと、
前記回転時間が前記所定の時間経過した場合、前記空気品質検出装置により空気品質を検出するステップと、
を含むことを特徴とする請求項１に記載の空気品質取得方法。
【請求項３】
前記ファンが回転するように制御するステップは、
現在の環境の空気流動速度が所定の速度に達したか否かを検出するステップと、
前記空気流動速度が前記所定の速度に達していない場合、前記ファンが回転するように制御するステップと、
を含むことを特徴とする請求項１に記載の空気品質取得方法。
【請求項４】
空気品質の検出をトリガーするためのトリガー信号を移動端末から受信するステップと、
前記トリガー信号を受信すると、前記ファンが回転するように制御する操作を実行するステップと、
をさらに含むことを特徴とする請求項１〜３のいずれか１項に記載の空気品質取得方法。
【請求項５】
前記空気品質情報を直接前記移動端末に送信するステップ、及び／又は、
前記空気品質情報をサーバに送信するステップ、及び／又は、
前記空気品質情報をホームゲートウェイ装置に送信するステップをさらに含み、
前記移動端末は、前記空気品質情報を表示するためのものであり、前記サーバは、前記空気品質情報を前記移動端末に転送するためのものであり、前記ホームゲートウェイ装置は、前記空気品質情報を前記移動端末に転送するためのものであることを特徴とする請求項４に記載の空気品質取得方法。
【請求項６】
所定の時間間隔おきに設定された時点、又はユーザによって設定された検出時点である所定の時点に達したか否かを検出するステップと、
前記所定の時点に達すると、前記ファンが回転するように制御する操作を実行するステップと、
をさらに含むことを特徴とする請求項１〜３のいずれか１項に記載の空気品質取得方法。
【請求項７】
前記空気品質情報をサーバに送信するステップ、及び／又は、
前記空気品質情報をホームゲートウェイ装置に送信するステップをさらに含み、
前記サーバは、移動端末からのトリガー信号を受信すると、過去に受信した全ての空気品質情報又は最後に受信した最も新しい空気品質情報を前記移動端末に転送するためのものであり、
前記ホームゲートウェイ装置は、前記移動端末からの前記トリガー信号を受信すると、過去に受信した全ての空気品質情報又は最後に受信した最も新しい空気品質情報を移動端末に転送するためのものであり、
前記移動端末は、受信した空気品質情報を表示するためのものであることを特徴とする請求項６に記載の空気品質取得方法。
【請求項８】
ファンと空気品質検出装置を含む家電機器に用いられる空気品質取得装置であって、
前記ファンが回転するように制御するように構成される回転制御モジュールと、
前記空気品質検出装置により空気品質を検出するように構成される空気品質検出モジュールと、
前記空気品質検出装置の検出結果に基づいて空気品質情報を生成するように構成される情報取得モジュールと、
を含むことを特徴とする空気品質取得装置。
【請求項９】
前記空気品質検出モジュールは、
前記ファンの回転時間が所定の時間経過したか否かを検出するように構成される時間長検出サブモジュールと、
前記時間長検出サブモジュールにより検出された結果、前記回転時間が前記所定の時間経過した場合、前記空気品質検出装置により空気品質を検出するように構成される空気品質検出サブモジュールと、
を含むことを特徴とする請求項８に記載の空気品質取得装置。
【請求項１０】
前記回転制御モジュールは、
現在の環境の空気流動速度が所定の速度に達したか否かを検出するように構成される速度検出サブモジュールと、
前記速度検出サブモジュールにより検出された結果、前記空気流動速度が前記所定の速度に達していない場合、前記ファンが回転するように制御するように構成される回転制御サブモジュールと、
を含むことを特徴とする請求項８に記載の空気品質取得装置。
【請求項１１】
空気品質の検出をトリガーするためのトリガー信号を移動端末から受信するように構成される信号受信モジュールをさらに含み、
前記回転制御モジュールは、前記信号受信モジュールにより前記トリガー信号を受信すると、前記ファンが回転するように制御する操作を実行することを特徴とする請求項８〜１０のいずれか１項に記載の空気品質取得装置。
【請求項１２】
前記空気品質情報を直接前記移動端末に送信するように構成される第１の送信モジュール、及び／又は、
前記空気品質情報をサーバに送信するように構成される第２の送信モジュール、及び／又は、
前記空気品質情報をホームゲートウェイ装置に送信するように構成される第３の送信モジュールをさらに含み、
前記移動端末は、前記空気品質情報を表示するためのものであり、前記サーバは、前記空気品質情報を前記移動端末に転送するためのものであり、前記ホームゲートウェイ装置は、前記空気品質情報を前記移動端末に転送するためのものであることを特徴とする請求項１１に記載の空気品質取得装置。
【請求項１３】
所定の時間間隔おきに設定された時点、又はユーザによって設定された検出時点である所定の時点に達したか否かを検出するように構成される時点検出モジュールをさらに含み、
前記回転制御モジュールは、前記時点検出モジュールにより検出された結果、前記所定の時点に達した場合、前記ファンが回転するように制御する操作を実行することを特徴とする請求項８〜１１のいずれか１項に記載の空気品質取得装置。
【請求項１４】
前記空気品質情報をサーバに送信するように構成される第４の送信モジュール、及び／又は、
前記空気品質情報をホームゲートウェイ装置に送信するように構成される第５の送信モジュールをさらに含み、
前記サーバは、移動端末からのトリガー信号を受信すると、過去に受信した全ての空気品質情報又は最後に受信した最も新しい空気品質情報を前記移動端末に転送するためのものであり、
前記ホームゲートウェイ装置は、前記移動端末からの前記トリガー信号を受信すると、過去に受信した全ての空気品質情報又は最後に受信した最も新しい空気品質情報を移動端末に転送するためのものであり、
前記移動端末は、受信した空気品質情報を表示するためのものであることを特徴とする請求項１３に記載の空気品質取得装置。
【請求項１５】
ファンと空気品質検出装置を含む家電機器に用いられる空気品質取得装置であって、
プロセッサと、
前記プロセッサにより実行可能な命令を記憶するためのメモリと、
を含み、
前記プロセッサは、
前記ファンが回転するように制御し、
前記空気品質検出装置により空気品質を検出し、
前記空気品質検出装置の検出結果に基づいて空気品質情報を生成するように構成されることを特徴とする空気品質取得装置。
【請求項１６】
プロセッサに実行されることにより、請求項１から請求項７のいずれか１項に記載の空気品質取得方法を実現することを特徴とするプログラム。
【請求項１７】
請求項１６に記載のプログラムが記録された記録媒体。
【国際調査報告】
2017504783.tif 000013
2017504783.tif 000014
2017504783.tif 000015
2017504783.tif 000016